【事件の表示】
　特願２０１３−５２４４９５「雄電気端子」拒絶査定不服審判事件〔平成２４年　２月２３日国際公開、ＷＯ２０１２／０２３０３８、平成２５年１０月　３日国内公表、特表２０１３−５３７６９７、請求項の数（１１）〕について、次のとおり審決する。
【結　論】
　原査定を取り消す。
　本願の発明は、特許すべきものとする。
【理　由】
第１　手続の経緯
　本願は、２０１１年８月５日（パリ条約による優先権主張外国庁受理２０１０年８月２０日　（ＩＢ）ＷＩＰＯ国際事務局）を国際出願日とする出願であって、平成２７年３月２４日付けで拒絶の理由が通知がされ、平成２７年６月２９日に手続補正がされ、平成２７年１１月５日付け（発送日：平成２７年１１月１０日）で拒絶査定（原査定）がされ、これに対し、平成２８年３月８日に拒絶査定不服審判の請求がされると同時に手続補正がされ、平成２８年９月１２日付けで拒絶の理由（以下、「当審拒絶理由１」という。）が通知され、平成２８年１２月１３日に手続補正がされ、平成２９年３月８日付けで拒絶の理由（以下、「当審拒絶理由２」という。）が通知され、平成２９年５月２日に手続補正がされたものである。
第２　原査定の概要
　原査定（平成２７年１１月５日付け拒絶査定）の概要は次のとおりである。
　本願請求項１−１１に係る発明は、以下の引用文献Ａ−Ｄに基いて、その発明の属する技術の分野における通常の知識を有する者（以下、「当業者」という。）が容易に発明できたものであるから、特許法第２９条第２項の規定により特許を受けることができない。
引用文献等一覧
Ａ．特開平９−２２３５３２号公報
Ｂ．実願昭６２−１９０３２１号（実開平１−９５０７８号）のマイクロフィルム
Ｃ．実願平２−２４６７５号（実開平３−１１６５７２号）のマイクロフィルム
Ｄ．特開２００３−３６９１１号公報
第３　当審拒絶理由１の概要
　当審拒絶理由１の概要は次のとおりである。
　本願請求項１−１１に係る発明は、以下の引用文献１−５に基いて、当業者が容易に発明できたものであるから、特許法第２９条第２項の規定により特許を受けることができない。
引用文献等一覧
１．特開平９−２２３５３２号公報（拒絶査定時の引用文献Ａ）
２．技能士の友編集部、技能ブックス１７　機械要素のハンドブック、株式会社大河出版、日本、１９７７．０５．２０発行、初版、１５６−１５７ページ（当審において新たに引用した文献）
３．実願昭６２−１９０３２１号（実開平１−９５０７８号）のマイクロフィルム（拒絶査定時の引用文献Ｂ）
４．特開２００３−３６９１１号公報（拒絶査定時の引用文献Ｄ）
５．実願平２−２４６７５号（実開平３−１１６５７２号）のマイクロフィルム（拒絶査定時の引用文献Ｃ）
第４　本願発明
　本願請求項１−１１に係る発明（以下、それぞれ「本願発明１」−「本願発明１１」という。）は、平成２９年５月２日の手続補正で補正された特許請求の範囲の請求項１−１１に記載された事項により特定される発明であり、本願発明１−１１は以下のとおりの発明である。
「【請求項１】
　ハウジングの中に挿入されるよう設計され、かつ一枚の金属薄板から形成される雄電気端子（１０）であって、該雄電気端子は縦軸（Ｘ）にほぼ沿って延び、
　該ハウジングと相互作用するよう適合された固定手段を備える、位置決め部（５１）と、
　接合部（１）であって、該接合部が雌端子に挿入又は接合されるとき、雌端子の二つの表面とそれぞれ電気接触するように適合された、二つのほぼ平行の接触表面を有する接合部（１）とを備え、
　該接合部（１）は、第二継ぎ目無し片（１２）と第三金属片（１３）の間に、接合部継ぎ目（１７Ａ）を有し、該接合部継ぎ目（１７Ａ）は、前記接触表面に隣接する側部（１４又は１５）に位置し、前記第二継ぎ目無し片（１２）が、Ｃ字形状の断面を有する第一湾曲側部（１４）によって接触表面上に位置する第一継ぎ目無し片（１１）に連結されて、前記第三金属片（１３）が、Ｃ字形状の断面を有する第二湾曲側部（１５）によって前記第一継ぎ目無し片（１１）に連結され、
　前記雄電気端子は、前記接合部（１）及び位置決め部（５１）の間に移行部（２）をさらに備え、該移行部（２）は、移行部継ぎ目（１７Ｂ）を有し、前記第二継ぎ目無し片（１２）の両端が、Ｃ字形状の断面を有する湾曲側部によって、接触表面側に位置する隣接半片（１８、１９）に連結され、該移行部継ぎ目（１７Ｂ）のうち縦軸（Ｘ）に平行である部分は、前記隣接半片（１８、１９）の間に形成され、該移行部継ぎ目（１７Ｂ）のうち縦軸（Ｘ）に平行である部分は、接合部継ぎ目（１７Ａ）を備える前記側部に対してほぼ垂直である面に位置し、前記移行部継ぎ目（１７Ｂ）は、縦軸（Ｘ）に平行である部分と、縦軸（Ｘ）と垂直であり前記側部に位置する横断部（１７Ｔ）と、これらを結合する四半円部分とを備え、
　前記移行部継ぎ目（１７Ｂ）のうち前記側部に対してほぼ垂直である面に位置する部分は、前記縦軸（Ｘ）に平行であり該面の中央に位置する部分と、前記四半円部分からなることを特徴とする雄電気端子。
【請求項２】
　前記位置決め部（５１）は、該位置決め部（５１）の側面（２３、２４）から折り曲げられた両半片（２１０、２２０）によって形成された位置決め部継ぎ目（１７Ｃ）を有し、該位置決め部継ぎ目（１７Ｃ）は、接合部継ぎ目（１７Ａ）を備える前記側部に対してほぼ垂直である面に位置していることを特徴とする請求項１に記載の端子。
【請求項３】
　前記移行部継ぎ目（１７Ｂ）は、前記接合部（１）及び位置決め部（５１）の間を延び、該接合部の断面とほぼ同じである、ほぼ一定の断面を有する末端部にわたっていることを特徴とする請求項１に記載の端子。
【請求項４】
　合わせ断面に対応するテーパー部（２５）であって、この合わせ断面の表面は、該位置決め部から、接合部（１）の断面とほぼ同じ断面を有する移行部の部分にかけて縮小するテーパー部（２５）を備えることを特徴とする請求項２または３に記載の端子。
【請求項５】
　前記接合部（１）は、
　第一片幅（Ｗ１）を有し、第一雌端子表面と電気接触するよう適合された、第一継ぎ目無し片（１１）と、
　雄端子幅（Ｗ１）に対応する第二片幅を有し、第一継ぎ目無し片と対向し、第二雌端子表面と電気接触するよう適合された、第二継ぎ目無し片（１２）と、
　第一および第二継ぎ目無し片（１１、１２）の間に挟まれた第三金属片（１３）とを、備えることを特徴とする請求項１から４のいずれか一項に記載の端子。
【請求項６】
　第一継ぎ目無し片、第二継ぎ目無し片、第三金属片はほぼ平面で、ほぼ一定の厚さと、ほぼ同じ厚さを有することを特徴とする請求項５に記載の端子。
【請求項７】
　第三金属片の部分（１３Ｂ）が、移行部（２）内を延びていることを特徴とする請求項５又は６に記載の端子。
【請求項８】
　一枚の金属薄板から形成された雄電気端子（１０）であって、
　電線連結部（５２）と、
　位置決め部（５１）と、
　接合部（１）であって、接合する雌端子に属する平行な第一及び第二雌端子表面の間に挟まれることにより、対応し接合する雌端子と電気接触するように適合された接合部（１）とを備え、
　前記接合部（１）は、縦軸（Ｘ）にそって延び、上部表面（３１）と、底部表面（３２）と、側部（１４，１５）とを備え、雄端子幅（Ｗ１）と雄端子厚さ（Ｅ１）を規定する、縦軸（Ｘ）と垂直の断面を有し、
　前記接合部（１）は、接合部幅（Ｗ１）に対応する第一片幅を有しかつ前記第一雌端子表面を圧迫するように適合された第一継ぎ目無し片（１１）と、接合部幅（Ｗ１）と対応する第二片幅を有しかつ第一継ぎ目無し片に対向し第二雌端子表面に圧迫するように適合された第二継ぎ目無し片（１２）とを有し、
　前記雄電気端子は継ぎ目（１７Ａ，１７Ｂ、１７）を有し、
　前記継ぎ目は、接合部において、縦軸（Ｘ）に対して平行であり、側部（１４、１５）のいずれかに位置する、接合部継ぎ目（１７Ａ）を備え、
　前記位置決め部（５１）は、第一継ぎ目無し片に平行な底面と上面を備え、前記継ぎ目は位置決め部（５１）の上面に位置する位置決め部継ぎ目（１７Ｃ）を備え、
　前記継ぎ目は、接合部継ぎ目から位置決め部継ぎ目まで延びる移行部継ぎ目（１７Ｂ）を備え、
　前記位置決め部（５１）は、固定窓（９）及び／又は固定脚部を備え、前記継ぎ目（１７）の前記位置決め部継ぎ目（１７Ｃ）は、該固定窓（９）と交差し、
　前記移行部継ぎ目（１７Ｂ）は、縦軸（Ｘ）に平行である部分と、縦軸（Ｘ）と垂直であり前記側部に位置する横断部（１７Ｔ）と、これらを結合する四半円部分とを備え、
　前記移行部継ぎ目（１７Ｂ）のうち前記側部に対してほぼ垂直である面に位置する部分は、前記縦軸（Ｘ）に平行であり該面の中央に位置する部分と、前記四半円部分からなることを特徴とする雄電気端子。
【請求項９】
　連結片及び請求項１から８のいずれか一項に記載の複数の端子を備える製品であって、該端子は該連結片に機械的に取り付けられている製品。
【請求項１０】
　電気端子の組立品であって、
　請求項１から７のいずれか一項に記載の雄電気端子と、
　接合部（１）の第一及び第二接触表面とそれぞれ電気接触するよう適合された第一及び第二雌端子表面（４１、４２）を有する、対応し接合する雌端子（４）と、を備える電気端子の組立品。
【請求項１１】
　雄電気端子を製造する方法であって、該方法は、
　縦軸（Ｘ）に沿って延び、かつ請求項１から７のいずれか一項に記載の雄電気端子を形成すべく変形させられるよう適合された少なくとも一つの端子パターンを有する、単一の金属薄板（２０）を準備する段階と、
　第二継ぎ目無し片（１２）と第三金属片（１３）の間に接合部継ぎ目（１７Ａ）があるように該金属薄板を折り曲げる段階を備えることを特徴とする雄電気端子を製造する方法。」
第５　引用文献、引用発明等
１．引用文献１について
（１）当審拒絶理由１に引用された引用文献１には、図面とともに次の事項が記載されている。
「【００１１】
【発明の実施の形態】以下、本発明に係る雄型端子の実施の形態例を図１乃至図１０に基づいて詳細に説明する。先ず、本発明の雄型端子の第１実施の形態例を図１および図２に基づいて説明する。図１は本発明の雄型端子の第１実施の形態例を示す斜視図、図２は図１のＡ−Ａ断面図である。
【００１２】図１に示すように第１実施の形態の雄型端子１は、導電性板材を折り曲げて一体形成されたものであり、加締部２、係止部３及び接続部４からなる。加締部２は、雄型端子１の終端に形成され、一対の電線被覆加締部５、５と一対の芯線加締部６、６からなる。この一対の電線被覆加締部５、５で電線７の被覆部７ａを加締めると共に、一対の芯線加締部６、６で芯線７ｂを加締めることにより電線７に雄型端子１を取り付けることができる。
【００１３】係止部３は、雄型端子１の略中央に側壁部８ａ、８ｂによって形成されており、それぞれ両側から折り返されて断面矩形状の筒形に形成されている。この側壁部８ａ、８ｂの側部にはそれぞれ下方に突出した一対の係止片９、９（一方は図示せず）が形成されている。この一対の係止片９は、コネクタハウジング（図示せず）内に係止され雄型端子１の抜け出しが防止される。
【００１４】接続部４は、雄型端子１の先端に形成され、雌型端子に電気的に接続する部分である。図２に示すように接続部４は、板厚ｔの基底部１０及び接触部１１とを備え、基底部１０と接触部１１とは折曲部１２で折り曲げられて互いに重ね合わされている。これにより、基底部１０の側部１０ａと接触部１１の側部１１ａとが互いに当接して、基底部１０と接触部１１との間に、幅αの空間１３が形成される。したがって、基底部１０と接触部１１とを重ね合わせて形成した接続部４の厚みＴ３は、２ｔ＋α  で表される。接触部１１の略中央には湾曲状の凹部（補強部）１４が曲げ形成され、補強部１４は空間１３内に突出して基底部１０に接触している。
【００１５】このように、接触部１１に湾曲状の補強部１４を形成することにより、接触部１１の強度をアップさせることができる。また、この補強部１４を基底部１０に接触させるので、接触部１１及び基底部１０がつぶれないように補強部１４で補強されることになる。したがって、接触部１１や基底部１０に外力が作用した場合に、接触部１１や基底部１０が空間１３内につぶれて変形するのを確実に防止することができる。
【００１６】上記の如く構成された本実施の形態の接続部４を形成する手順を説明する。先ず、導電性板材を折曲部１２で折り曲げて基底部１０と接触部１１とを重ね合わせる。この場合、基底部１０の側部１０ａと接触部１１の側部１１ａとが互いに当接して、基底部１０と接触部１１との間に幅αの空間１３が形成される。次に、接触部１１に湾曲状の補強部１４がプレス成形される。この補強部１４は空間１３内に突出して基底部１０に接触する。これにより、基底部１０と接触部１１との間に幅αの空間１３を形成しても、十分な強度を備えた接続部４を得ることができる。
【００１７】したがって、導電性板材を折曲部１２で折り曲げて基底部１０と接触部１１とを重ね合わせる際に、基底部１０と接触部１１との間に幅αの空間１３を積極的に形成することが可能になるので、基底部１０と接触部１１とを折曲げた時の、スプリングバックを空間１３で吸収して、厚みＴ３の接続部４を容易に形成することができる。これにより、雄型端子１の品質の安定かつ信頼性の向上を図ることができる。」
（２）【図１】からは、Ａ−Ａ断面に垂直な軸として縦軸が有り、雄型端子１が縦軸にほぼ沿って延びている状態が見て取れる。
（３）上記記載事項（１）及び図示内容（２）に照らせば、【図１】からは、接続部４と係止部３の間に移行部があり、移行部は、移行部の当接する部分を有し、基底部１０の両端が、移行部の折り曲げ部によって接触部１１側に位置する隣接半片に連結され、前記移行部の当接する部分は、縦軸に平行である部分と、縦軸と垂直である横断部とを備え、前記移行部の当接する部分のうち前記側部に対してほぼ垂直である面に位置する部分は、前記縦軸に平行であり該面の中央に位置する部分と、前記横断部からなる状態が見て取れる。
　したがって、上記記載事項及び図示内容を総合し、本件発明１の記載振りに則って整理すると、上記引用文献１には次の発明（以下、「引用発明」という。）が記載されていると認められる。
（引用発明）
「コネクタハウジング内に係止され、かつ一枚の導電性板材から形成される雄型端子１であって、該雄型端子１は縦軸にほぼ沿って延び、
　該コネクタハウジング内に係止され抜け出しが防止される係止片９を備える、係止部３と、
　接続部４であって、該接続部４が雌型端子に電気的に接続されるとき、雌型端子の表面と電気的に接続される接触部１１の表面を有する接続部４とを備え、
　該接続部４は、側部１０ａ及び側部１１ａが当接する部分を有し、該当接する部分は、前記接触部１１に隣接する側部１０ａ及び側部１１ａに位置し、基底部１０が、折曲部１２によって接触部１１に連結されて、
　前記雄型端子１は、前記接続部４及び係止部３の間に移行部をさらに備え、該移行部は、移行部の当接する部分を有し、前記基底部１０の両端が、移行部の折曲部によって、接触部１１側に位置する隣接半片に連結され、該移行部の当接する部分のうち縦軸に平行である部分は、前記隣接半片の間に形成され、該移行部の当接する部分のうち縦軸に平行である部分は、側部１０ａ及び側部１１ａが当接する部分を備える前記側部１０ａ及び側部１１ａに対してほぼ垂直である面に位置し、前記移行部の当接する部分は、縦軸に平行である部分と、縦軸と垂直である横断部とを備え、前記移行部の当接する部分のうち前記側部１０ａ及び側部１１ａに対してほぼ垂直である面に位置する部分は、前記縦軸に平行であり該面の中央に位置する部分と、前記横断部からなる、雄型端子１。」
２．引用文献２〜５について
　当審拒絶理由１に引用された引用文献２には、１５６ページの図面とともに次の事項が記載されている。
「機械部品には，プレス加工品も，鋳造品も，鍛造品もあります．こういうもののかどやすみは，丸みがつくのがふつうです． 
　丸みをつけないということは不可能なのです．力学上も，すみには丸みをつけるほうがよいというか，丸みをつけるのが常道です．」（１５７ページ左欄第１２−１９行）
　当審拒絶理由１に引用された引用文献３には、第１−２図とともに、次の事項が記載されている。
　「いずれの端子１，７においても、角型の端子部４，９は相手端子（端子１に対しては端子７、端子７に対しては端子１）との嵌合中心線Ｓ（第３図参照）に対して両側の接触面側（端子部４においてはコンタクト部４Ａの上下の外表面が存在する側、端子部９においては両コンタクト部９Ａの上下の内表面が存在する側）が対称形に形成されている。
　即ち、雄コネクタ端子１においては、角型の端子部４は相手端子７との嵌合中心線Ｓに対して両側の接触面（広面）側が対称形に形成されている。このような対称形の形状に形成するに伴い、係止孔６も対称形の係止部４Ｂの両面に対称形に設けられている。」
（第４ページ第１５行−第５ページ第８行）
　当審拒絶理由１に引用された引用文献４には、図１−４とともに、以下の事項が記載されている。
「【００２１】板状接触部１１は、接続部１２から延設された長尺板状の基板部１４と、この基板部１４の幅方向の一側から延設されて基板部１４上に折り曲げられて重ねられた折曲重ね板部１５と、基板部１４の幅方向の他側から延設されて基板部１４と折曲重ね板部１５との間に重ねられた平面確保板部１６とでロール状に形成されている。そして、平面確保板部１６は、基板部１４及び折曲重ね板部１５の平面状態を確保する。基板部１４は、図２に示すように、接続部１２、係止部１３の底壁部分を形成しており、キャリア１７に連結されている。また、基板部１４の先端部分には、略三角形状の突片１８が一体に形成されており、折曲重ね板部１５の先端部分に設けられた同形状の突片１８と重ねられて導入部１９が構成されている。
【００２２】折曲重ね板部１５は、基板部１４の一側から略直角方向に延設された厚み板部２０と、この厚み板部２０から基板部１４と略平行に延設された幅板部２１とからなり、平面確保板部１６が基板部１４と幅板部２１との間に重ねられている。」
「【００５８】請求項２の発明によれば、平面確保板部が、基板部と幅板部との間に重ねられているので、この部分の強度が向上し、プレス圧力が付与されても、基板部及び幅板部が変形することがなく、中央部分が陥没することがない。」
　また、当審拒絶理由１に引用された引用文献５には、第１−３図とともに、以下の事項が記載されている。
「又、上記雄接続子１０の前端部には、導通接続部１１が前記導通押え片３の凸部３ａへ相対的に圧接するようにして形成されており、この導通接続部１１は、第１図および第２図に示されるように、扁平な板状に形成すると共に、その接合端部１１ａを側面に位置するようにしてかしめ付けにより圧接して形成している。」（第６ページ第１９行−第７ページ第５行）
第６　対比・判断
１．本願発明１について
（１）対比
　本願発明１と引用発明とを対比すると、次のことがいえる。
　引用発明の「コネクタハウジング」は、本願発明１の「ハウジング」に相当し、以下同様に「コネクタハウジング内に係止され」ることは「ハウジングの中に挿入されるよう設計され」ることに、「導電性板材」は「金属薄板」に「雄型端子１」は「雄電気端子（１０）」に、「コネクタハウジング内に係止され抜け出しが防止される係止片９」は「ハウジングと相互作用するよう適合された固定手段」に、「係止部３」は「位置決め部（５１）」に、「接続部４」は「接合部（１）」に、「雌型端子」は「雌端子」に、「接続部４が雌型端子に電気的に接続される」ことは「接合部が雌端子に挿入又は接合される」ことに、「雌型端子の表面」と「電気的に接続される」ことは「雌端子」の「表面」と「電気接触するように適合された」ことに、「接触部１１の表面」は「接触表面」に、「接触部１１」は「接触表面上に位置する第一継ぎ目無し片（１１）」に、「側部１０ａ及び側部１１ａが当接する部分」は「接合部継ぎ目（１７Ａ）」に、「側部１０ａ及び側部１１ａ」は「側部（１４又は１５）」に、「基底部１０」は「第二継ぎ目無し片（１２）」に、「折曲部１２」は「Ｃ字形状の断面を有する第一湾曲側部（１４）」に、「移行部の当接する部分」は「移行部継ぎ目（１７Ｂ）」に、「移行部の折曲部」は「Ｃ字形状の断面を有する湾曲側部」に、それぞれ相当する。
　したがって、本願発明１と引用発明との間には、次の一致点、相違点があるといえる。
（一致点）  
「ハウジングの中に挿入されるよう設計され、かつ一枚の金属薄板から形成される雄電気端子であって、該雄電気端子は縦軸にほぼ沿って延び、
　該ハウジングと相互作用するよう適合された固定手段を備える、位置決め部と、
　接合部であって、該接合部が雌端子に挿入又は接合されるとき、雌端子の表面と電気接触するように適合された、接触表面を有する接合部とを備え、
　該接合部は、接合部継ぎ目を有し、該接合部継ぎ目は、前記接触表面に隣接する側部に位置し、第二継ぎ目無し片が、Ｃ字形状の断面を有する第一湾曲側部によって接触表面上に位置する第一継ぎ目無し片に連結されて、
　前記雄電気端子は、前記接合部及び位置決め部の間に移行部をさらに備え、該移行部は、移行部継ぎ目を有し、前記第二継ぎ目無し片の両端が、Ｃ字形状の断面を有する湾曲側部によって、接触表面側に位置する隣接半片に連結され、該移行部継ぎ目（１７Ｂ）のうち縦軸に平行である部分は、前記隣接半片の間に形成され、該移行部継ぎ目（１７Ｂ）のうち縦軸に平行である部分は、接合部継ぎ目（１７Ａ）を備える前記側部に対してほぼ垂直である面に位置し、前記移行部継ぎ目は、縦軸に平行である部分と、縦軸と垂直な横断部とからなる雄電気端子」
（相違点）
（相違点１）
　本願発明１の「接合部（１）」は「二つのほぼ平行の接触表面」を有するのに対し、引用発明の「接続部４」は「接触部１１の表面」という１つの面を有する点。
（相違点２）
　本願発明１の「接合部（１）」は「第二継ぎ目無し片（１２）と第三金属片（１３）の間に、接合部継ぎ目（１７Ａ）」を有し、「前記第三金属片（１３）が、Ｃ字形状の断面を有する第二湾曲側部（１５）によって前記第一継ぎ目無し片（１１）に連結され」るのに対し、引用発明の「接続部４」は、このような構成を有しない点。
（相違点３）
　本願発明１は、「移行部継ぎ目（１７Ｂ）」は、「縦軸（Ｘ）に平行である部分と、縦軸（Ｘ）と垂直であり前記側部に位置する横断部（１７Ｔ）と、これらを結合する四半円部分とを備え、前記移行部継ぎ目（１７Ｂ）のうち前記側部に対してほぼ垂直である面に位置する部分は、前記縦軸（Ｘ）に平行であり該面の中央に位置する部分と、前記四半円部分からなる」のに対し、引用発明の「移行部の当接する部分」は、このような構成を備えていない点。
（２）相違点についての判断
　事案に鑑みて、上記相違点３について先に検討すると、相違点３に係る本願発明１の「移行部継ぎ目（１７Ｂ）は、縦軸（Ｘ）に平行である部分と、縦軸（Ｘ）と垂直であり前記側部に位置する横断部（１７Ｔ）と、これらを結合する四半円部分とを備え、前記移行部継ぎ目（１７Ｂ）のうち前記側部に対してほぼ垂直である面に位置する部分は、前記縦軸（Ｘ）に平行であり該面の中央に位置する部分と、前記四半円部分からなる」という構成は、上記引用文献１−５には記載されておらず、本願優先日前において周知技術であるともいえない。
　したがって、他の相違点について判断するまでもなく、本願発明１は、当業者であっても引用発明、引用文献２−５に記載された技術的事項に基いて容易に発明できたものであるとはいえない。
２．本願発明２−１１について
　本願発明２−１１も、本願発明１の「移行部継ぎ目（１７Ｂ）は、縦軸（Ｘ）に平行である部分と、縦軸（Ｘ）と垂直であり前記側部に位置する横断部（１７Ｔ）と、これらを結合する四半円部分とを備え、前記移行部継ぎ目（１７Ｂ）のうち前記側部に対してほぼ垂直である面に位置する部分は、前記縦軸（Ｘ）に平行であり該面の中央に位置する部分と、前記四半円部分からなる」と同一の構成を備えるものであるから、本願発明１と同じ理由により、当業者であっても、引用発明、引用文献２−５に記載された技術的事項に基いて容易に発明できたものとはいえない。
第７　原査定についての判断
（特許法第２９条第２項について）
　平成２９年５月２日付けの補正により、補正後の請求項１−１１は、「移行部継ぎ目（１７Ｂ）は、縦軸（Ｘ）に平行である部分と、縦軸（Ｘ）と垂直であり前記側部に位置する横断部（１７Ｔ）と、これらを結合する四半円部分とを備え、前記移行部継ぎ目（１７Ｂ）のうち前記側部に対してほぼ垂直である面に位置する部分は、前記縦軸（Ｘ）に平行であり該面の中央に位置する部分と、前記四半円部分からなる」という技術的事項を有するものとなった。
　当該「移行部継ぎ目（１７Ｂ）は、縦軸（Ｘ）に平行である部分と、縦軸（Ｘ）と垂直であり前記側部に位置する横断部（１７Ｔ）と、これらを結合する四半円部分とを備え、前記移行部継ぎ目（１７Ｂ）のうち前記側部に対してほぼ垂直である面に位置する部分は、前記縦軸（Ｘ）に平行であり該面の中央に位置する部分と、前記四半円部分からなる」ことは、原査定における引用文献Ａ−Ｄ（当審拒絶理由における引用文献１、３−５）には記載されておらず、本願優先日前における周知技術でもないので、本願発明１−１１は、当業者であっても、原査定における引用文献Ａ−Ｄに基いて容易に発明できたものではない。したがって、原査定を維持することはできない。
第８　当審拒絶理由２について
（特許法第３６条第６項第２号について）
　当審では、平成２８年１２月１３日提出の手続補正書に記載された特許請求の範囲について、請求項１の「該接合部（１）は、該接触表面上には位置しない該金属薄板の二つの折り曲げ部分の間に、接合部継ぎ目（１７Ａ）を有し、」という記載、請求項１の「該移行部（２）は、前記金属薄板の二つの折り曲げ部分の間に移行部継ぎ目（１７Ｂ）を有し、」という記載、請求項２、４及び１１の「二つの折り曲げ部分」という記載、請求項１及び請求項２の「該金属薄板は、接合部継ぎ目（１７Ａ）を備える前記側部に対してほぼ垂直である面に位置し、」という記載、請求項１及び請求項８の「縦軸（Ｘ）と垂直である横断部（１７Ｔ）」という記載、請求項１の「前記移行部継ぎ目（１７Ｂ）のうち前記側部に対してほぼ垂直である面に位置する部分は、該面の中央に位置し、前記縦軸（Ｘ）に平行である部分と、前記四半円部分からなる」という記載、並びに請求項８の「前記移行部継ぎ目（１７Ｂ）のうち前記側部に対してほぼ垂直である面に位置する部分は、該面の中央に位置し、前記縦軸（Ｘ）に平行である部分と、前記四半円部分からなる」という記載の意味が不明確であるとの拒絶の理由を通知している。
　しかしながら、平成２９年５月２日の補正により、請求項１、２、４、８及び１１は、上記第４の請求項１、請求項２、請求項４、請求項８及び請求項１１のように補正された結果、この拒絶の理由は解消した。
第９　むすび
　以上のとおり、原査定の理由によって、本願を拒絶することはできない。　また、他に本願を拒絶すべき理由を発見しない。
　よって、結論のとおり審決する。